(57)【特許請求の範囲】
【請求項１】
カセッテの装着台と、
前記カセッテの挿入方向と直交する方向に延在するように、前記装着台の上に配置され、前記カセッテの装着時に、該カセッテの挿入方向の先端面が当接される当接面を有するメインガイドと、
前記メインガイドの延在方向に沿って当接面に並べて配置され、それぞれが前記カセッテの挿入方向に延在し、該カセッテの排出方向に付勢され、前記カセッテの挿入方向の先端面によって押されていない時に、前記メインガイドの当接面よりも前記カセッテの排出方向に向かって突出し、該カセッテの挿入方向の先端面によって押されている時に、該カセッテの挿入方向に移動される複数のサブガイドと、
前記カセッテの装着時に、前記複数のサブガイドのうち、前記カセッテの挿入方向の先端面によって押されて移動されたサブガイドを検出することによって、少なくとも１つのサブガイドが前記カセッテの挿入方向の先端面によって押されて移動されたことを検出し、該移動されたサブガイドの有無に応じて、該カセッテが装着されているか否かを検出する検出部とを備えることを特徴とするカセッテホルダー。
【請求項２】
カセッテの装着台と、
前記カセッテの挿入方向と直交する方向に延在するように、前記装着台の上に配置され、前記カセッテの装着時に、該カセッテの挿入方向の先端面が当接される当接面を有するメインガイドとを備え、
前記メインガイドの当接面は、該メインガイドの延在方向の中央位置を中心として、前記カセッテの排出方向に向かって順次上昇する左右対称の階段状に形成され、
さらに、前記メインガイドの階段状に形成された当接面にそれぞれ配置され、それぞれが前記カセッテの挿入方向に延在し、該カセッテの排出方向に付勢され、前記カセッテの挿入方向の先端面によって押されていない時に、前記メインガイドの当接面よりも前記カセッテの排出方向に向かって突出し、該カセッテの挿入方向の先端面によって押されている時に、該カセッテの挿入方向に移動される複数のサブガイドと、
前記カセッテの装着時に、前記複数のサブガイドのうち、前記カセッテの挿入方向の先端面によって押されて移動されたサブガイドを検出することによって、少なくとも１つのサブガイドが前記カセッテの挿入方向の先端面によって押されて移動されたことを検出し、該移動されたサブガイドの有無に応じて、該カセッテが装着されているか否かを検出する検出部とを備えることを特徴とするカセッテホルダー。
【請求項３】
前記複数のサブガイドは、前記カセッテの挿入方向の先端面で押されて該カセッテの挿入方向に移動すると、前記メインガイドの当接面の裏面側から突出する突出部を備え、
前記検出部は、前記メインガイドの当接面の裏面側から突出する突出部を検出することによって、前記カセッテの挿入方向の先端面によって押されて移動されたサブガイドを検出するものである請求項１または２に記載のカセッテホルダー。
【請求項４】
前記検出部は、反射型フォトセンサであり、前記突出部は、該反射型フォトセンサの発光部から発せられた光を受光部に反射する反射板である請求項３に記載のカセッテホルダー。
【請求項５】
前記検出部は、透過型フォトセンサであり、前記突出部は、該透過型フォトセンサの発光部から発せられ、受光部で受光される光を遮光する遮光板である請求項３に記載のカセッテホルダー。
【請求項６】
前記検出部は、前記突出部が前記カセッテの挿入方向に移動すると作動するマイクロスイッチである請求項３に記載のカセッテホルダー。
【請求項７】
前記検出部は、前記カセッテの挿入方向の先端面によって押されて移動されたサブガイドの位置に応じて、該カセッテのサイズを検出するものである請求項１〜６のいずれか１項に記載のカセッテホルダー。
【請求項８】
前記検出部は、前記カセッテの挿入方向の先端面によって押されて移動されたサブガイドの位置に応じて、該カセッテが前記メインガイドの延在方向の中央位置に装着されたか否かを検出するものである請求項１〜７のいずれか１項に記載のカセッテホルダー。
【請求項９】
前記検出部は、前記カセッテがＤＲカセッテの場合、あらかじめ入力されている該ＤＲカセッテのカセッテサイズと、該ＤＲカセッテの挿入方向の先端面によって押されて移動されたサブガイドの位置に応じて検出した該ＤＲカセッテのカセッテサイズとを比較することによって、該ＤＲカセッテの装着状態が縦置きなのか横置きなのかを検出するものである請求項１〜８のいずれか１項に記載のカセッテホルダー。
【請求項１０】
前記複数のサブガイドは、前記メインガイドの延在方向の幅がそれぞれ異なるものであり、該メインガイドの延在方向の中央位置を中心として左右対称に配置されている請求項１〜９のいずれか１項に記載のカセッテホルダー。
【請求項１１】
前記複数のサブガイドの、前記メインガイドの延在方向の幅は、装着される複数種類のカセッテの、前記メインガイドの延在方向の両側の面の位置に応じて決定されている請求項１０に記載のカセッテホルダー。
【請求項１２】
カセッテの装着台と、
前記カセッテの挿入方向と直交する方向に延在するように、前記装着台の上に配置され、前記カセッテの装着時に、該カセッテの挿入方向の先端面が当接される当接面を有するメインガイドと、
前記メインガイドの延在方向に沿って当接面に並べて配置され、それぞれが前記カセッテの挿入方向に延在し、該カセッテの排出方向に付勢され、前記カセッテの挿入方向の先端面によって押されていない時に、前記メインガイドの当接面よりも前記カセッテの排出方向に向かって突出し、該カセッテの挿入方向の先端面によって押されている時に、該カセッテの挿入方向に移動される複数のサブガイドと、
前記カセッテの装着時に、前記複数のサブガイドのうち、前記カセッテの挿入方向の先端面によって押されず移動されなかったサブガイドを検出することによって、少なくとも１つのサブガイドが前記カセッテの挿入方向の先端面によって押されて移動されたことを検出し、該移動されたサブガイドの有無に応じて、該カセッテが装着されているか否かを検出する検出部とを備えることを特徴とするカセッテホルダー。
【請求項１３】
カセッテの装着台と、
前記カセッテの挿入方向と直交する方向に延在するように、前記装着台の上に配置され、前記カセッテの装着時に、該カセッテの挿入方向の先端面が当接される当接面を有するメインガイドとを備え、
前記メインガイドの当接面は、該メインガイドの延在方向の中央位置を中心として、前記カセッテの排出方向に向かって順次上昇する左右対称の階段状に形成され、
さらに、前記メインガイドの階段状に形成された当接面にそれぞれ配置され、それぞれが前記カセッテの挿入方向に延在し、該カセッテの排出方向に付勢され、前記カセッテの挿入方向の先端面によって押されていない時に、前記メインガイドの当接面よりも前記カセッテの排出方向に向かって突出し、該カセッテの挿入方向の先端面によって押されている時に、該カセッテの挿入方向に移動される複数のサブガイドと、
前記カセッテの装着時に、前記複数のサブガイドのうち、前記カセッテの挿入方向の先端面によって押されず移動されなかったサブガイドを検出することによって、少なくとも１つのサブガイドが前記カセッテの挿入方向の先端面によって押されて移動されたことを検出し、該移動されたサブガイドの有無に応じて、該カセッテが装着されているか否かを検出する検出部とを備えることを特徴とするカセッテホルダー。
【発明の詳細な説明】
【技術分野】
【０００１】
本発明は、Ｘ線画像撮影用のカセッテの位置決めを行うカセッテホルダーに関するものである。
【背景技術】
【０００２】
カセッテは、Ｘ線撮影フィルム、ＩＰ（イメージングプレート）、Ｘ線検出器（ＦＰＤ：フラットパネルディテクタ）等のＸ線撮影手段を収納したものであり、被検体を透過したＸ線を受光して、被検体のＸ線画像を撮影するために使用される。
【０００３】
カセッテホルダーは、例えば、カセッテを用いて被検者のＸ線画像を撮影するＸ線画像撮影装置や、被検者のＸ線画像が撮影されたカセッテからＸ線画像を読み出すＸ線画像読取装置等において、カセッテを装着し、所定の位置に位置決めするためのものである。カセッテホルダーには、通常、カセッテサイズの異なる複数種類のカセッテを装着することが可能である。
【０００４】
図７に示すように、従来のカセッテホルダーは、カセッテを載置するための装着台（図示省略）と、カセッテを当接して位置決めするためのガイドとによって構成されている。従来のカセッテホルダーでは、カセッテを当接するガイドの当接面が階段状に形成されている。カセッテの装着時には、装着台の上で、カセッテを、階段状に形成されたガイドの当接面に当接することによって、カセッテの位置決めが行われる。
【０００５】
ここで、特許文献２の０００６段落に記載があるように、カセッテには所定規格に従う複数のサイズのものが存在する。そのため、このような従来のカセッテホルダーでは、装着可能なカセッテの種類が多くなるほど、階段状に形成されたガイドの段数が多くなり、装置が大型化するし、カセッテ装着の有無やカセッテサイズを検出する手段がないという問題点があった。
【０００６】
また、従来のカセッテホルダーでは、載置台の上で、カセッテを中心に位置決めするために、ガイドに中心が分かる目印を付け、目視で位置合わせをしている。しかし、この手法では、カセッテの装着者によって中心位置がずれるという問題点があった。また、カセッテが中心からずれて装着された場合であっても、そのまま気がつかずに撮影が行われるため、再撮影が必要になるリスクが高いという問題点があった。
【０００７】
上記のように、ガイドを用いてカセッテの位置決めを行う先行技術文献として、例えば、特許文献１〜３等がある。しかしながら、本発明に直接的に関連性のある先行技術文献は存在していない。
【先行技術文献】
【特許文献】
【０００８】
【特許文献１】特開平１１−２８８０５２号公報
【特許文献２】特開２００４−２０８７４９号公報
【特許文献３】特開２００４−２９０３２５号公報
【発明の概要】
【発明が解決しようとする課題】
【０００９】
本発明の第１の目的は、カセッテ装着の有無を検出することができるカセッテホルダーを提供することにある。
本発明の第２の目的は、さらに、カセッテサイズおよびカセッテの位置決めの良否の少なくとも一方を検出することができるカセッテホルダーを提供することにある。
本発明の第３の目的は、さらに、装着可能なカセッテの種類が多くなったとしても、装置を小型化することができるカセッテホルダーを提供することにある。
【課題を解決するための手段】
【００１０】
上記目的を達成するために、本発明は、カセッテの装着台と、
前記カセッテの挿入方向と直交する方向に延在するように、前記装着台の上に配置され、前記カセッテの装着時に、該カセッテの挿入方向の先端面が当接される当接面を有するメインガイドと、
前記メインガイドの延在方向に沿って当接面に並べて配置され、それぞれが前記カセッテの挿入方向に延在し、該カセッテの排出方向に付勢され、前記カセッテの挿入方向の先端面によって押されていない時に、前記メインガイドの当接面よりも前記カセッテの排出方向に向かって突出し、該カセッテの挿入方向の先端面によって押されている時に、該カセッテの挿入方向に移動される複数のサブガイドと、
前記カセッテの装着時に、前記複数のサブガイドのうち、前記カセッテの挿入方向の先端面によって押されて移動されたサブガイドを検出することによって、少なくとも１つのサブガイドが前記カセッテの挿入方向の先端面によって押されて移動されたことを検出し、該移動されたサブガイドの有無に応じて、該カセッテが装着されているか否かを検出する検出部とを備えることを特徴とするカセッテホルダーを提供するものである。
また、本発明は、カセッテの装着台と、
前記カセッテの挿入方向と直交する方向に延在するように、前記装着台の上に配置され、前記カセッテの装着時に、該カセッテの挿入方向の先端面が当接される当接面を有するメインガイドとを備え、
前記メインガイドの当接面は、該メインガイドの延在方向の中央位置を中心として、前記カセッテの排出方向に向かって順次上昇する左右対称の階段状に形成され、
さらに、前記メインガイドの階段状に形成された当接面にそれぞれ配置され、それぞれが前記カセッテの挿入方向に延在し、該カセッテの排出方向に付勢され、前記カセッテの挿入方向の先端面によって押されていない時に、前記メインガイドの当接面よりも前記カセッテの排出方向に向かって突出し、該カセッテの挿入方向の先端面によって押されている時に、該カセッテの挿入方向に移動される複数のサブガイドと、
前記カセッテの装着時に、前記複数のサブガイドのうち、前記カセッテの挿入方向の先端面によって押されて移動されたサブガイドを検出することによって、少なくとも１つのサブガイドが前記カセッテの挿入方向の先端面によって押されて移動されたことを検出し、該移動されたサブガイドの有無に応じて、該カセッテが装着されているか否かを検出する検出部とを備えることを特徴とするカセッテホルダーを提供する。
【００１２】
また、前記複数のサブガイドは、前記カセッテの挿入方向の先端面で押されて該カセッテの挿入方向に移動すると、前記メインガイドの当接面の裏面側から突出する突出部を備え、
前記検出部は、前記メインガイドの当接面の裏面側から突出する突出部を検出することによって、前記カセッテの挿入方向の先端面によって押されて移動されたサブガイドを検出するものであることが好ましい。
【００１３】
また、前記検出部は、反射型フォトセンサであり、前記突出部は、該反射型フォトセンサの発光部から発せられた光を受光部に反射する反射板であることが好ましい。
【００１４】
また、前記検出部は、透過型フォトセンサであり、前記突出部は、該透過型フォトセンサの発光部から発せられ、受光部で受光される光を遮光する遮光板であることが好ましい。
【００１５】
また、前記検出部は、前記突出部が前記カセッテの挿入方向に移動すると作動するマイクロスイッチであることが好ましい。
【００１６】
また、前記検出部は、前記カセッテの挿入方向の先端面によって押されて移動されたサブガイドの位置に応じて、該カセッテのサイズを検出するものであることが好ましい。
【００１７】
また、前記検出部は、前記カセッテの挿入方向の先端面によって押されて移動されたサブガイドの位置に応じて、該カセッテが前記メインガイドの延在方向の中央位置に装着されたか否かを検出するものであることが好ましい。
【００１８】
また、前記検出部は、前記カセッテがＤＲカセッテの場合、あらかじめ入力されている該ＤＲカセッテのカセッテサイズと、該ＤＲカセッテの挿入方向の先端面によって押されて移動されたサブガイドの位置に応じて検出した該ＤＲカセッテのカセッテサイズとを比較することによって、該ＤＲカセッテの装着状態が縦置きなのか横置きなのかを検出するものであることが好ましい。
【００２１】
また、前記複数のサブガイドは、前記メインガイドの延在方向の幅がそれぞれ異なるものであり、該メインガイドの延在方向の中央位置を中心として左右対称に配置されていることが好ましい。
【００２２】
また、前記複数のサブガイドの、前記メインガイドの延在方向の幅は、装着される複数種類のカセッテの、前記メインガイドの延在方向の両側の面の位置に応じて決定されていることが好ましい。
【００２３】
また、本発明は、カセッテの装着台と、
前記カセッテの挿入方向と直交する方向に延在するように、前記装着台の上に配置され、前記カセッテの装着時に、該カセッテの挿入方向の先端面が当接される当接面を有するメインガイドと、
前記メインガイドの延在方向に沿って当接面に並べて配置され、それぞれが前記カセッテの挿入方向に延在し、該カセッテの排出方向に付勢され、前記カセッテの挿入方向の先端面によって押されていない時に、前記メインガイドの当接面よりも前記カセッテの排出方向に向かって突出し、該カセッテの挿入方向の先端面によって押されている時に、該カセッテの挿入方向に移動される複数のサブガイドと、
前記カセッテの装着時に、前記複数のサブガイドのうち、前記カセッテの挿入方向の先端面によって押されず移動されなかったサブガイドを検出することによって、少なくとも１つのサブガイドが前記カセッテの挿入方向の先端面によって押されて移動されたことを検出し、該移動されたサブガイドの有無に応じて、該カセッテが装着されているか否かを検出する検出部とを備えることを特徴とするカセッテホルダーを提供する。
また、本発明は、カセッテの装着台と、
前記カセッテの挿入方向と直交する方向に延在するように、前記装着台の上に配置され、前記カセッテの装着時に、該カセッテの挿入方向の先端面が当接される当接面を有するメインガイドとを備え、
前記メインガイドの当接面は、該メインガイドの延在方向の中央位置を中心として、前記カセッテの排出方向に向かって順次上昇する左右対称の階段状に形成され、
さらに、前記メインガイドの階段状に形成された当接面にそれぞれ配置され、それぞれが前記カセッテの挿入方向に延在し、該カセッテの排出方向に付勢され、前記カセッテの挿入方向の先端面によって押されていない時に、前記メインガイドの当接面よりも前記カセッテの排出方向に向かって突出し、該カセッテの挿入方向の先端面によって押されている時に、該カセッテの挿入方向に移動される複数のサブガイドと、
前記カセッテの装着時に、前記複数のサブガイドのうち、前記カセッテの挿入方向の先端面によって押されず移動されなかったサブガイドを検出することによって、少なくとも１つのサブガイドが前記カセッテの挿入方向の先端面によって押されて移動されたことを検出し、該移動されたサブガイドの有無に応じて、該カセッテが装着されているか否かを検出する検出部とを備えることを特徴とするカセッテホルダーを提供する。
【発明の効果】
【００２４】
本発明によれば、カセッテの装着時に、移動されたサブガイドの有無を検出部で検出することによって、カセッテ装着の有無を検出することができ、移動されたサブガイドの位置を検出部で検出することによって、カセッテサイズ、カセッテ位置決めの良否等を検出することができる。また、本発明によれば、装着可能なカセッテの種類が多くなったとしても、メインガイドの、カセッテの挿入方向の大きさが変わらないため、装置構成を小型化できる。
【図面の簡単な説明】
【００２５】
【図１】本発明のカセッテホルダーの構成を表す第１の実施形態の上面図である。
【図２】図１に枠線Ａで囲んで示す領域の拡大図である。
【図３】（Ａ）および（Ｂ）は、検出部の第１の具体例を表す概念図である。
【図４】（Ａ）および（Ｂ）は、検出部の第２の具体例を表す概念図である。
【図５】（Ａ）および（Ｂ）は、検出部の第３の具体例を表す概念図である。
【図６】（Ａ）および（Ｂ）は、カセッテをカセッテホルダーに装着して位置決めした状態を表す斜視図である。
【図７】従来のカセッテホルダーと第１の実施形態のカセッテホルダーとの違いを表す概略図である。
【図８】（Ａ）および（Ｂ）は、本発明のカセッテホルダーの構成を表す第２の実施形態の概念図である。
【発明を実施するための形態】
【００２６】
以下に、添付の図面に示す好適実施形態に基づいて、本発明のカセッテホルダーを詳細に説明する。
【００２７】
図１は、本発明のカセッテホルダーの構成を表す第１の実施形態の上面図、図２は、図１に枠線Ａで囲んで示す領域の拡大図である。同図に示すカセッテホルダー１０は、Ｘ線画像撮影装置やＸ線画像読取装置等において、カセッテサイズの異なる複数種類のカセッテを装着して所定の位置に位置決めするためのものである。カセッテホルダー１０は、カセッテの装着台１２と、メインガイド１４と、複数のサブガイド１６と、検出部と、移動ガイド２０とによって構成されている。
【００２８】
メインガイド１４は、カセッテ２２の装着時に、カセッテの挿入方向の先端面が当接される当接面１４ａを有し、カセッテの挿入方向と直交する方向に延在するように、装着台１２の上に配置されている。メインガイド１４の当接面１４ａは、サブガイド１６が配置される、メインガイド１４の延在方向両側の領域が凹形状とされ、メインガイド１４の延在方向の中央位置を中心とする凸形状に形成されている。また、メインガイド１４の延在方向の中央位置には目印が付けられている。
【００２９】
各々のサブガイド１６は、図２に示すように、カセッテの挿入方向に延在し、メインガイド１４の内部に形成された貫通穴２４の内部を通過するように配設されている。サブガイド１６は、カセッテの挿入方向の先端面が当接される当接部１６ａをカセッテの排出方向の端部に有し、サブガイド１６が、カセッテの挿入方向に移動されることによってメインガイド１４の当接面の裏面１４ｂ側から突出する突出部１６ｂをカセッテの挿入方向の端部に有する。サブガイド１６は、カセッテの排出方向にバネ２６の力で付勢されている。また、サブガイド１６は、カセッテの挿入方向の先端面によって当接部１６ａが押されていない時に、当接部１６ａが、メインガイド１４の当接面１４ａよりもカセッテの排出方向に向かって突出し、カセッテの挿入方向の先端面によって押されている時に、カセッテの挿入方向に移動される。
【００３０】
また、複数のサブガイド１６は、メインガイド１４の延在方向に沿って当接面（前述の凹形状の領域）１４ａに並べて配置されている。サブガイド１６は、メインガイド１４の延在方向の幅がそれぞれ異なっており、メインガイド１４の延在方向の中央位置を中心として左右対称となるように配置されている。サブガイド１６の、メインガイド１４の延在方向の幅は、装着される複数種類のカセッテの、メインガイド１４の延在方向の両側の面の位置に応じて決定されている。つまり、サブガイド１６の、メインガイド１４の延在方向の面の位置は、装着される各々のカセッテの、メインガイドの延在方向の面の位置と一致するように設定されている。
【００３１】
検出部は、カセッテの装着時に、複数のサブガイド１６のうち、少なくとも１つのサブガイド１６がカセッテの挿入方向の先端面によって押されて移動されたことを検出する。本実施形態の場合、検出部は、複数のサブガイド１６のうち、カセッテの挿入方向の先端面によって押されてカセッテの挿入方向に移動されたサブガイド１６、つまり、装着されたカセッテ２２のサイズに対応するサブガイド１６を検出することによって、少なくとも１つのカセッテ１６が移動されたことを検出する（図１、２では図示省略、図３〜５参照）。本実施形態の場合、検出部は、メインガイド１４の裏面１４ｂ側から突出するサブガイド１６の突出部１６ｂを検出することによって、カセッテの挿入方向の先端面によって押されて移動されたサブガイド１６を検出する。これに対し、検出部は、複数のサブガイド１６のうち、カセッテの挿入方向の先端面によって押されず移動されなかったサブガイド１６を検出することによって、カセッテ１６が移動されたことを検出するようにしてもよい。
【００３２】
移動ガイド２０は、カセッテ２２の装着時に、カセッテの排出方向の先端面が当接する当接面２０ａを有し、メインガイド１４から所定の間隔を空けて、メインガイド１４の延在方向に対して平行に延在するように、装着台１２の上に配置されている。移動ガイド２０は、カセッテの挿入方向に沿って装着台１２の上に形成された移動溝２８に沿って移動可能であり、カセッテの挿入方向にバネの力で付勢されている。
【００３３】
次に、検出部について具体例を挙げて説明する。
【００３４】
図３（Ａ）および（Ｂ）は、検出部の第１の具体例を表す概念図である。同図は、カセッテホルダー１０を、メインガイド１４の延在方向に見た状態を表したものであり、同図（Ａ）は、カセッテ２２の装着前、同図（Ｂ）は、カセッテ２２の装着後の状態である。同図に示す検出部は、反射型フォトセンサ１８ａであり、装着台１２の裏面側に配置されている。また、サブガイド１６の突出部１６ｂには、反射型フォトセンサ１８ａの発光部から発せられた光を反射する反射板３０が設けられている。反射型フォトセンサ１８ａの直上の装着台１２の領域には、発光部から発せられる光の貫通穴が形成されている。
【００３５】
同図（Ａ）に示すように、カセッテ２２の装着前の状態では、サブガイド１６が、カセッテの排出方向にバネで付勢され、反射型フォトセンサ１８ａの上部には反射板３０が存在しない。この状態では、反射型フォトセンサ１８ａの発光部から発せられた光が、反射板３０によって反射されて受光部に戻ってくることはない。これにより、このサブガイド１６は、カセッテ２２で押されて移動していないと判断することができる。
【００３６】
一方、同図（Ｂ）に示すように、カセッテ２２の装着後の状態では、サブガイド１６が、カセッテの挿入方向に押されて移動され、反射型フォトセンサ１８ａの直上に反射板３０が存在する。この状態では、反射型フォトセンサ１８ａの発光部から発せられた光が、装着台１２の貫通穴を通過して反射板３０に到達し、そこで反射されて受光部に戻ってくる。これにより、このサブガイド１６は、カセッテ２２で押されて移動していると判断することができる。
【００３７】
図４（Ａ）および（Ｂ）は、検出部の第２の具体例を表す概念図である。同図は、カセッテホルダー１０を、メインガイド１４の延在方向に見た状態を表したものであり、同図（Ａ）は、カセッテ２２の装着前、同図（Ｂ）は、カセッテ２２の装着後の状態である。同図に示す検出部は、透過型フォトセンサ１８ｂであり、装着台１２の裏面側に配置されている。また、サブガイド１６の突出部１６ｂには、透過型フォトセンサ１８ｂから発せられる光を遮光する遮光板３２が設けられている。透過型フォトセンサ１８ｂの発光部と受光部は、図４中紙面に垂直な方向に並んで配置されている。遮光板３２は、装着台１２に形成された移動溝を通過して、装着台１２の裏面側まで延在し、移動溝に沿って図４中左右方向に移動する。
【００３８】
同図（Ａ）に示すように、カセッテ２２の装着前の状態では、サブガイド１６が、カセッテの排出方向にバネで付勢され、透過型フォトセンサ１８ｂの上部（発光部と受光部との間）には遮光板３２が存在しない。この状態では、透過型フォトセンサ１８ｂの発光部から発せられた光が、遮光板３２によって遮光されることなく受光部によって受光される。これにより、このサブガイド１６は、カセッテ２２で押されて移動していないということが分かる。
【００３９】
一方、同図（Ｂ）に示すように、カセッテ２２の装着後の状態では、サブガイド１６が、カセッテの挿入方向に押されて移動され、透過型フォトセンサ１８ｂの上部（発光部と受光部との間）に遮光板３２が存在する。この状態では、透過型フォトセンサ１８ｂの発光部から発せられた光が、遮光板３２によって遮光されるため、受光部によって受光されることはない。これにより、このサブガイド１６は、カセッテ２２で押されて移動しているということが分かる。
【００４０】
図５（Ａ）および（Ｂ）は、検出部の第３の具体例を表す概念図である。同図は、カセッテホルダー１０を上部から見た状態を表したものであり、同図（Ａ）は、カセッテ２２の装着前、同図（Ｂ）は、カセッテ２２の装着後の状態である。同図に示す検出部は、マイクロスイッチ１８ｃ（同図（Ａ）では図示省略）であり、メインガイド１４の裏面側に配置されている。マイクロスイッチ１８ｃは、サブガイド１６が移動されていない時には、サブガイド１６の突出部１６ｂが接触されずオフとなり、移動されると、サブガイド１６の突出部１６ｂが接触されてオンとなる。
【００４１】
同図（Ａ）に示すように、カセッテ２２の装着前の状態では、サブガイド１６が、カセッテの排出方向にバネで付勢され、サブガイド１６の突出部１６ｂとマイクロスイッチ１８ｃとは接触しない。この状態では、サブガイド１６の突出部１６ｂによってマイクロスイッチ１８ｃが作動することはなく、オフとなる。これにより、このサブガイド１６は、カセッテ２２で押されて移動していないということが分かる。
【００４２】
一方、同図（Ｂ）に示すように、カセッテ２２の装着後の状態では、サブガイド１６が、カセッテの挿入方向に押されて移動され、サブガイド１６の突出部１６ｂとマイクロスイッチ１８ｃとが接触する。この状態では、サブガイド１６の突出部１６ｂの移動によってマイクロスイッチ１８ｃが作動し、オンとなる。これにより、このサブガイド１６は、カセッテ２２で押されて移動しているということが分かる。
【００４３】
以下、カセッテ２２をカセッテホルダー１０に装着するときの動作を説明する。
【００４４】
カセッテ２２をカセッテホルダー１０に装着する場合、カセッテ２２の装着者の手によって、移動ガイド２０がカセッテの排出方向に移動され、カセッテ２２が、載置台１２の上の、メインガイド１４と移動ガイド２０との間の領域に配置される。
【００４５】
ここで、カセッテの挿入方向の先端面には、メインガイド１４の延在方向の中央位置を表す目印が付けられている。また、カセッテホルダー１０のメインガイド１４の延在方向の中央位置にも目印が付けられている。カセッテ２２の装着者は、両者の目印を目視で合わせて、カセッテ２２をカセッテホルダー１０の、メインガイド１４と移動ガイド２０との間の領域の所定位置に配置する。
【００４６】
カセッテ２２の装着者の手が移動ガイド２０から離されると、移動ガイド２０が、バネの力でカセッテの挿入方向に移動し、これに応じて、カセッテ２２が、移動ガイド２０の当接面２０ａによって押されてメインガイド１４の当接面１４ａの方向に移動される。そして、カセッテの挿入方向の先端面によって所定数のサブガイド１６の当接部１６ａが押されてカセッテの挿入方向に移動される。カセッテ２２の移動は、その挿入方向の先端面がメインガイド１４の当接面１４ａに当接することによって停止する。
【００４７】
図６（Ａ）および（Ｂ）は、カセッテをカセッテホルダーに装着して位置決めした状態を表す斜視図である。同図（Ａ）は、矩形状のカセッテ２２をメインガイド１４に対して縦置きした状態、同図（Ｂ）は、同横置きした状態を表している。
【００４８】
カセッテの挿入方向の先端面がメインガイド１４の当接面１４ａに当接することによって、カセッテの挿入方向の位置決めが行われる。また、カセッテ２２が装着された時、そのカセッテサイズ（カセッテ２２の挿入方向の先端面のサイズ）に対応するサブガイド１６が移動するが、移動しない最も中央寄りのサブガイド１６の、メインガイド１４の延在方向の内側の面によって、カセッテ２２の、メインガイド１４の延在方向の位置決めが行われる。
【００４９】
カセッテ２２がその挿入方向に移動すると、複数のサブガイド１６のうち、カセッテの挿入方向の先端面が当接部１６ａに当接する所定数のサブガイド１６が、カセッテの挿入方向の先端面によって押されてカセッテの挿入方向に移動される。これにより、カセッテの挿入方向の先端面によって押されてカセッテの挿入方向に移動されたサブガイド１６の突出部１６ｂが、メインガイド１４の裏面１４ｂ側から突出する。
【００５０】
検出部は、メインガイド１４の裏面１４ｂ側から突出するサブガイド１６の突出部１６ｂを検出することによって、カセッテの挿入方向の先端面によって押されて移動されたサブガイド１６を検出する。
【００５１】
検出部は、カセッテの挿入方向の先端面によって押されて移動されたサブガイド１６の有無に応じて、カセッテ２２が装着されているか否かを検出することができる。カセッテ２２が装着されると、複数のサブガイド１６のうち、カセッテサイズに対応するサブガイド１６が移動する。従って、検出器１８は、移動されたサブガイド１６があれば、カセッテ２２が装着されていると判断することができる。
【００５２】
また、検出部は、カセッテの挿入方向の先端面によって押されて移動されたサブガイド１６の位置（メインガイド１４の延在方向の位置）に応じて、カセッテサイズを検出することができる。カセッテ２２が装着されると、複数のサブガイド１６のうち、メインガイド１４の延在方向の中央位置を中心として、左右両側で同じ位置のサブガイド１６が移動される。そのため、検出器１８は、移動されたサブガイド１６の位置が分かれば、装着されたカセッテ２２のサイズを検出することができる。
【００５３】
また、カセッテサイズを検出することによって、Ｘ線画像撮影装置やＸ線画像読取装置等のシステムにカセッテサイズの情報を入力する手間を省くことができるため、操作性の向上、ヒューマンエラーの防止等の効果を得ることもできる。
【００５４】
また、検出部は、カセッテの挿入方向の先端面によって押されて移動されたサブガイド１６の位置に応じて、カセッテ２２がメインガイド１４の延在方向の中央位置に正しく装着されているか否かを検出することができる。つまり、検出器１８は、検出したサブガイド１６の位置が、メインガイド１４の延在方向の中央位置を中心として、左右対称の位置にある場合に、カセッテ２２がメインガイド１４の延在方向の中央位置に正しく装着されていると判断することができる。
【００５５】
カセッテがＤＲ（デジタルラジオグラフィ）カセッテの場合、そのカセッテサイズはあらかじめシステム等に入力されている。検出部は、あらかじめ入力されているＤＲカセッテのカセッテサイズと、前述のように、ＤＲカセッテの挿入方向の先端面によって押されて移動されたサブガイド１６の位置に応じて検出したＤＲカセッテのカセッテサイズとを比較することによって、ＤＲカセッテの装着状態が縦置きなのか横置きなのかを検出することができる。
【００５６】
図７に示すように、従来の階段状のメインガイドを有するカセッテホルダーでは、装着可能なカセッテの種類が多くなるに従って、メインガイドの延在方向の長さが長くなり、カセッテの挿入方向（移動方向）の長さも大きくなり、装置構成が大型化する。これに対し、カセッテホルダー１０では、装着可能なカセッテ２２の種類が多くなったとしても、メインガイド１４の、カセッテの挿入方向の大きさは変わらないため、装置構成を小型化できるというメリットがある。
【００５７】
次に、本発明のカセッテホルダーについて別の実施形態を挙げて説明する。
【００５８】
図８（Ａ）および（Ｂ）は、本発明のカセッテホルダーの構成を表す第２の実施形態の概念図である。同図に示すカセッテホルダーは、図１に示す第１の実施形態のカセッテホルダー１０において、メインガイド１４の当接面が、階段状に形成されているものである。同図（Ａ）は、カセッテの装着前の状態、同図（Ｂ）は、カセッテの装着後の状態である。メインガイド以外の図示を省略しているが、第２の実施形態のカセッテホルダーも、同様に、装着台と、メインガイド４４と、サブガイド４６と、検出器と、移動ガイドとを有するものである。
【００５９】
メインガイド４４の当接面４４ａは、その延在方向の中央位置を中心として、カセッテの排出方向に向かうに従って順次上昇する左右対称の階段状に形成されている。
【００６０】
また、サブガイド１６は、メインガイド１４の当接面１４ａに形成されている階段の高さに応じて、カセッテの挿入方向の長さがそれぞれ異なっている。
【００６１】
カセッテ２２の装着時には、装着台の上で、カセッテ２２を、階段状に形成されたメインガイド４４の当接面４４ａに当接することによって、カセッテ２２の位置決めが行われる。カセッテ２２が装着されると、カセッテ２２のサイズに対応するサブガイド１６が、カセッテの挿入方向の先端面によって押されてカセッテの挿入方向に移動され、メインガイド４４の裏面側４４ｂから、移動されたサブガイド４６の突出部４６ｂが突出する。これ以後の動作は、第１の実施形態の場合と同様である。
【００６２】
第２の実施形態のカセッテホルダーは、第１の実施形態の場合と同様の効果を得ることができるが、従来の階段状のガイドの場合と同様に、装着可能なカセッテ２２の種類が多くなるに従って、カセッテの挿入方向（移動方向）の長さが大きくなり、装置構成が大きくなる。従って、装置サイズが気にならない場合に利用することが望ましい。第２の実施形態の場合には、従来と同様の階段状のメインガイドであるため、従来と同様の使用感が得られるというメリットがある。
【００６３】
なお、メインガイドおよびサブガイドの具体的な構成は、上記実施形態に限定されず、同様の機能を果たすことができる各種の構成のものを採用することができる。
【００６４】
また、検出部により、メインガイドの当接面の裏面側から突出するサブガイドを検出し、その検出結果を、Ｘ線画像撮影装置やＸ線画像読出装置等に送信し、これらの装置でその後の処理を行うようにしてもよい。つまり、これらの装置において、カセッテが中心位置に装着されたか否か、中心位置に装着されていない場合のアラームの発生、カセッテサイズの検出、カセッテの装置内への装着の有無等の検出処理を行ってもよい。
【００６５】
また、移動ガイドは必須の構成要素ではない。移動ガイドを設けず、カセッテの装着者が、カセッテを、その挿入方向に移動するようにしてもよい。
【００６６】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【００６７】
１０  カセッテホルダー
１２  装着台
１４、４４  メインガイド
１４ａ  当接面
１６、４６  サブガイド
１６ａ  当接部
１６ｂ  突出部
１８ａ、１８ｂ、１８ｃ  検出部
２０  移動ガイド
２０ａ  当接面
２２  カセッテ
２４  貫通穴
２６  バネ
２８  移動溝
３０  反射板
３２  遮光板
【図１】
0005635336.tif 000002
【図２】
0005635336.tif 000003
【図３】
0005635336.tif 000004
【図４】
0005635336.tif 000005
【図５】
0005635336.tif 000006
【図６】
0005635336.tif 000007
【図７】
0005635336.tif 000008
【図８】
0005635336.tif 000009